(57)【要約】【課題】ケーシングの内部が上下方向に延びる仕切板によって送風機室と機械室とに仕切られた構造を有する空気調和装置の室外ユニットにおいて、電装品を空冷するとともに電装品に水滴が付着することを抑える。【解決手段】機械室（Ｓ２）には、ケーシング（５１）の下部に設けられた取入口（５６ａ）と、仕切板（５８）に設けられた排出口（８１、８２）とが形成される。排出口（８１、８２）は、上下方向に複数並ぶルーバ（８３、８４）を仕切板（５８）に形成することによって構成され、かつ、室外ファン（３６）の側端部のうちの最も背面側に位置する点から仕切板（５８）の送風機室（Ｓ１）側に突出する部分に対して接線を引き、接線と仕切板（５８）との接触位置よりも左右方向の外側に位置するように形成される。複数のルーバ（８３、８４）のうち上方に位置する上部ルーバ（８３）を下方に位置する下部ルーバ（８４）よりも大きくする。【選択図】図４
2014240713.tif 000002
【特許請求の範囲】
【請求項１】
ケーシング（５１）の内部が上下方向に延びる仕切板（５８）によって送風機室（Ｓ１）と機械室（Ｓ２）とに仕切られた構造を有する空気調和装置の室外ユニットにおいて、
前記ケーシングの前面に対向するように前記送風機室に配置された室外ファン（３６）と、
前記ケーシングの背面に対向するように前記送風機室に配置された室外熱交換器（２３２）と、
前記機械室に配置された電装品（７１）とを備えており、
前記仕切板は、前記送風機室側に突出する部分を形成しながら前記室外ファンの側方から前記室外熱交換器の側端部に向かって延びており、
前記機械室には、前記ケーシングの下部に設けられており前記ケーシング外から空気を取り入れるための取入口（５６ａ）と、前記仕切板に設けられており前記電装品を冷却した後の空気を前記送風機室側に排出するための排出口（８１、８２）とが形成されており、
前記排出口は、上下方向に複数並ぶルーバ（８３、８４）を前記仕切板に形成することによって構成されており、かつ、前記ケーシングの平面視において、前記室外ファンの側端部のうちの最も前記ケーシングの背面側に位置する点から前記仕切板の前記送風機室側に突出する部分に対して接線（ＴＬ）を引き、前記接線と前記仕切板との接触位置（ＣＰ）よりも左右方向の外側に位置するように形成されており、
前記複数のルーバのうち上方に位置する上部ルーバ（８３）を前記上部ルーバよりも下方に位置する下部ルーバ（８４）よりも大きくしている、
空気調和装置の室外ユニット（２）。
【請求項２】
前記複数のルーバ（８３、８４）は、前記仕切板（５８）を前記機械室（Ｓ２）側に向けて切り起こすことによって形成されている、
請求項１に記載の空気調和装置の室外ユニット（２）。
【請求項３】
前記排出口（８１、８２）の前記機械室（Ｓ２）側の開口部分（８１ａ、８２ａ）の開口方向は、前記電装品（７１）に対向していない、
請求項２に記載の空気調和装置の室外ユニット（２）。
【発明の詳細な説明】
【技術分野】
【０００１】
本発明は、空気調和装置の室外ユニット、特に、ケーシングの内部が上下方向に延びる仕切板によって送風機室と機械室とに仕切られた構造を有する空気調和装置の室外ユニットに関する。
【背景技術】
【０００２】
従来より、特許文献１（特開２００２−３１７９７３号公報）に示すように、ケーシングの内部が上下方向に延びる仕切板によって送風機室と機械室とに仕切られた構造を有する空気調和装置の室外ユニットがある。室外ユニットのケーシング内には、電装品を収容する電装品箱が配置されている。この電装品箱の側面には、空気を取り入れるための取入口と、電装品を冷却した後の空気を送風機室側に排出するための排出口とが形成されている。
【発明の概要】
【発明が解決しようとする課題】
【０００３】
ここで、雨を伴う強風によって送風機室に配置された室外ファンが回転すると、ケーシング外から送風機室内に空気とともに水滴が侵入する。この水滴は、主として、室外ファンの径方向外側に向かって飛散するため、排出口を通じて電装品箱内に侵入しやすく、このような水滴の電装品箱内への侵入によって、電装品に水滴が付着するおそれがある。
【０００４】
本発明の課題は、ケーシングの内部が上下方向に延びる仕切板によって送風機室と機械室とに仕切られた構造を有する空気調和装置の室外ユニットにおいて、電装品を空冷するとともに電装品に水滴が付着することを抑えることにある。
【課題を解決するための手段】
【０００５】
第１の観点にかかる空気調和装置の室外ユニットは、ケーシングの内部が上下方向に延びる仕切板によって送風機室と機械室とに仕切られた構造を有する空気調和装置の室外ユニットにおいて、ケーシングの前面に対向するように送風機室に配置された室外ファンと、ケーシングの背面に対向するように送風機室に配置された室外熱交換器と、機械室に配置された電装品とを有している。ここで、仕切板は、送風機室側に突出する部分を形成しながら室外ファンの側方から室外熱交換器の側端部に向かって延びている。また、機械室には、ケーシングの下部に設けられておりケーシング外から空気を取り入れるための取入口と、仕切板に設けられており電装品を冷却した後の空気を送風機室側に排出するための排出口とが形成されている。そして、排出口は、上下方向に複数並ぶルーバを仕切板に形成することによって構成されており、かつ、ケーシングの平面視において、室外ファンの側端部のうちの最もケーシングの背面側に位置する点から仕切板の送風機室側に突出する部分に対して接線を引き、接線と仕切板との接触位置よりも左右方向の外側に位置するように形成されている。しかも、複数のルーバのうち上方に位置する上部ルーバを上部ルーバよりも下方に位置する下部ルーバの大きさよりも大きくしている。ここで、上部ルーバの大きさは、下部ルーバの２倍以上の大きさにすることが好ましい。
【０００６】
ここでは、上記のように、排出口を接線と仕切板との接触位置よりも左右方向の外側、すなわち、室外ファンから遠い側に位置するように形成しているため、接線と仕切板との接触位置よりも内側、すなわち、室外ファンに近い側に位置するように形成する場合と比較して、室外ファンの回転によって飛散する水滴が直接的に排出口に侵入することを抑えることができる。また、室外ファンの回転によって飛散する水滴が室外熱交換器に跳ね返ること等によって排出口に侵入しようとする場合であっても、ルーバに水滴が付着することによって、水滴が機械室内に侵入することを抑えることができる。
【０００７】
しかも、ここでは、上記のように、複数のルーバのうち上方に位置する上部ルーバを上部ルーバよりも下方に位置する下部ルーバの大きさよりも大きくしているため、上部ルーバから下部ルーバにわたって同じ大きさにする場合に比較して、電装品周辺の気流を十分に確保するとともに、機械室上部の熱こもりを抑えることができる。尚、これらの効果を十分に発揮させるためには、上部ルーバの大きさを下部ルーバの２倍以上の大きさにすることが好ましい。
【０００８】
このように、ここでは、電装品を空冷するとともに電装品に水滴が付着することを抑えることができる。しかも、電装品周辺の気流を十分に確保するとともに、機械室上部の熱こもりを抑えることができる。
【０００９】
第２の観点にかかる空気調和装置の室外ユニットは、第１の観点にかかる空気調和装置の室外ユニットにおいて、複数のルーバが、仕切板を機械室側に向けて切り起こすことによって形成されている。
【００１０】
ここでは、上記のように、仕切板を機械室側に向けて切り起こすことによってルーバを形成しているため、室外ユニットの組み立て時において、ルーバと室外熱交換器との接触を抑えることができる。
【００１１】
第３の観点にかかる空気調和装置の室外ユニットは、第２の観点にかかる空気調和装置の室外ユニットにおいて、排出口の機械室側の開口部分の開口方向が、電装品に対向していない。
【００１２】
ここでは、上記のように、排出口の機械室側の開口部分の開口方向を電装品に対向しないようにしているため、水滴が機械室内に侵入した場合であっても、水滴を電装品に向かって飛散しないようにし、これにより、水滴が電装品に付着することを抑えることができる。
【発明の効果】
【００１３】
以上の説明に述べたように、本発明によれば、以下の効果が得られる。
【００１４】
第１の観点にかかる空気調和装置の室外ユニットでは、電装品を空冷するとともに電装品に水滴が付着することを抑えることができる。しかも、電装品周辺の気流を十分に確保するとともに、機械室上部の熱こもりを抑えることができる。
【００１５】
第２の観点にかかる空気調和装置の室外ユニットでは、室外ユニットの組み立て時において、ルーバと室外熱交換器との接触を抑えることができる。
【００１６】
第３の観点にかかる空気調和装置の室外ユニットでは、水滴が機械室内に侵入した場合であっても、水滴を電装品に向かって飛散しないようにし、これにより、水滴が電装品に付着することを抑えることができる。
【図面の簡単な説明】
【００１７】
【図１】本発明の一実施形態にかかる室外ユニットが採用された空気調和装置の概略構成図である。
【図２】室外ユニットの外観を示す斜視図である。
【図３】室外ユニットの送風機室側側板、前板及び天板を取り外した状態を示す斜視図である。
【図４】室外ユニットの前板、機械室側側板及び天板を取り外した状態を示す部分斜視図（冷媒管等の図示を省略）である。
【図５】室外ユニットの天板を取り外した状態を示す平面図である。
【図６】ルーバ（排出口）の断面図である。
【発明を実施するための形態】
【００１８】
以下、本発明にかかる空気調和装置の室外ユニットの実施形態について、図面に基づいて説明する。尚、本発明にかかる空気調和装置の室外ユニットの具体的な構成は、下記の実施形態に限られるものではなく、発明の要旨を逸脱しない範囲で変更可能である。
【００１９】
（１）空気調和装置の全体構成
図１は、本発明の一実施形態にかかる室外ユニット２が採用された空気調和装置１の概略構成図である。
【００２０】
空気調和装置１は、蒸気圧縮式の冷凍サイクル運転を行うことによって、ビル等の屋内の空調に使用される装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００２１】
＜室内ユニット＞
室内ユニット４は、室内に設置されており、冷媒回路１０の一部を構成している。この室内ユニット４は、主として、室内熱交換器４１を有している。
【００２２】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００２３】
室内ユニット４には、室内熱交換器４１に室内空気を送るための室内ファン４２が設けられている。室内ファン４２は、室内ファン用モータ４３によって駆動される。
【００２４】
＜室外ユニット＞
室外ユニット２は、室外に設置されており、冷媒回路１０の一部を構成している。室外ユニット２は、主として、圧縮機２１と、四路切換弁２２と、室外熱交換器２３と、膨張弁２６と、液側閉鎖弁２６と、ガス側閉鎖弁２７とを有している。圧縮機２１の吸入口と四路切換弁２２とは、吸入管３１によって接続されている。圧縮機２１の吐出口と四路切換弁２２とは、吐出管３２によって接続されている。四路切換弁２２と室外熱交換器２３のガス側とは、第１ガス冷媒管３３によって接続されている。室外熱交換器２３の液側と液冷媒連絡管５とは、液冷媒管３５に接続されている。そして、膨張弁２６は、液冷媒管３０に設けられている。また、ここでは、液冷媒管３５に後述の冷媒ジャケット２９が設けられている。四路切換弁２２とガス冷媒連絡管６とは、第２ガス冷媒管３４によって接続されている。
【００２５】
圧縮機２１は、吸入管３１から冷凍サイクルにおける低圧のガス冷媒を吸入し、圧縮して冷凍サイクルにおける高圧のガス冷媒とした後に、吐出管３２に吐出する圧縮機である。
【００２６】
四路切換弁２２は、冷房運転と暖房運転との切換時に、冷媒回路１０内における冷媒の流れの方向を切り換えるための弁である。四路切換弁２２は、冷房運転時には、図１の実線で示されるように、吐出管３２と第１ガス冷媒管３３とを接続するとともに吸入管３１と第２ガス冷媒管３４とを接続し、暖房運転時には、図１の破線で示されるように、吐出管３２と第２ガス冷媒管３４とを接続するとともに吸入管３１と第１ガス冷媒管３３とを接続する機能を有する。
【００２７】
室外熱交換器２３は、冷房運転時には室外空気を冷却源とする冷媒の放熱器として機能し、暖房運転時には室外空気を加熱源とする冷媒の蒸発器として機能する熱交換器である。
【００２８】
膨張弁２６は、冷房運転時には室外熱交換器２３において放熱した冷媒を室内熱交換器４１に送る前に減圧し、暖房運転時には室内熱交換器４１において放熱した冷媒を室外熱交換器２３に送る前に減圧する電動膨張弁である。
【００２９】
液側閉鎖弁２７及びガス側閉鎖弁２８は、外部の機器・配管（具体的には、液冷媒連絡管５及びガス冷媒連絡管６）との接続口に設けられた弁である。液側閉鎖弁２７は、液冷媒管３５の端部に設けられている。ガス側閉鎖弁２８は、第２ガス冷媒管３４の端部に設けられている。
【００３０】
室外ユニット２には、室外熱交換器２３に室外空気を送るための室外ファン３６が設けられている。室外ファン３６は、室外ファン用モータ３７によって駆動される。
【００３１】
（２）室外ユニットの構成
次に、図２〜図６を用いて、本実施形態の室外ユニット２の構成について説明する。ここで、図２は、室外ユニット２の外観を示す斜視図である。図３は、室外ユニット２の、送風機室側側板５３、前板５５、５６及び天板５７を取り外した状態を示す斜視図である。図４は、室外ユニット２の前板５５、５６、機械室側側板５４及び天板５７を取り外した状態を示す部分斜視図（冷媒管等の図示を省略）である。図５は、室外ユニット２の天板５７を取り外した状態を示す平面図である。図６は、ルーバ８３、８４（排出口８１、８２）の断面図である。尚、以下の説明において、「上」、「下」、「左」、「右」や「前面」、「側面」、「背面」、「天面」、「底面」等の方向や面を示す文言は、特にことわりのない限り、ファン吹出グリル５５ｂ側の面を前面とした場合における方向や面を意味する。
【００３２】
＜基本構造＞
室外ユニット２は、ユニットケーシング５１の内部が上下方向に延びる仕切板５８によって送風機室Ｓ１と機械室Ｓ２とに仕切られた構造（いわゆる、トランク型構造）を有するものである。室外ユニット２は、ユニットケーシング５１の背面及び側面の一部から室外空気を内部へと吸い込んだ後に、ユニットケーシング５１の前面から空気を排出するように構成されている。室外ユニット２は、主として、ユニットケーシング５１と、圧縮機２１、四路切換弁２２、室外熱交換器２３、膨張弁２６、閉鎖弁２７、２８、後述の冷媒ジャケット２９、及び、これらの機器を接続する冷媒管３１〜３５を含む冷媒回路構成部品（図１参照）と、室外ファン３６及び室外ファン用モータ３７と、複数の電装品が設けられた電装品ユニット７１とを有している。尚、ここでは、送風機室Ｓ１がユニットケーシング５１の左側面寄りに形成され、機械室Ｓ２がユニットケーシング５１の右側面寄りに形成された例を説明するが、左右が逆であってもよい。
【００３３】
ユニットケーシング５１は、略直方体状に形成されており、主として、圧縮機２１、四路切換弁２２、室外熱交換器２３、膨張弁２６、閉鎖弁２７、２８、冷媒ジャケット２９、及び、これらの機器を接続する冷媒管３１〜３５を含む冷媒回路構成部品と、室外ファン３６及び室外ファン用モータ３７と、複数の電装品が設けられた電装品ユニット７１とを収容している。ユニットケーシング５１は、冷媒回路構成部品や室外ファン３６等の各種部品が載置される底フレーム５２と、送風機室側側板５３と、機械室側側板５４と、送風機室側前板５５と、機械室側前板５６と、天板５７と、据付脚５９、６０とを有している。
【００３４】
底フレーム５２は、ユニットケーシング５１の底面部分を構成する金属製の板状部材である。
【００３５】
送風機室側側板５３は、ユニットケーシング５１の送風機室Ｓ１寄りの側面部分（ここでは、左側面部分）を構成する金属製の板状部材である。送風機室側側板５３は、その下部が底フレーム５２に固定されている。送風機室側側板５３には、室外ファン３６によってユニットケーシング５１の側面側からユニットケーシング５１内に室外空気を吸入するための側面ファン吸入口５３ａが形成されている。
【００３６】
機械室側側板５４は、ユニットケーシング５１の機械室Ｓ２寄りの側面部分（ここでは、右側面部分）の一部と、ユニットケーシング５１の機械室Ｓ２寄りの背面部分とを構成する金属製の板状部材である。機械室側側板５４は、その下部が底フレーム５２に固定されている。送風機室側側板５３の背面側の端部と機械室側側板５４の送風機室Ｓ１側の端部との間には、室外ファン３６によってユニットケーシング５１の背面側からユニットケーシング５１内に室外空気を吸入するためのされる背面ファン吸入口５３ｂが形成されている。
【００３７】
送風機室側前板５５は、ユニットケーシング５１の送風機室Ｓ１の前面部分を構成する金属製の板状部材である。送風機室側前板５５は、その下部が底フレーム５２に固定され、その左側面側の端部が送風機室側側板５３の前面側の端部に固定されている。送風機室側前板５５には、室外ファン３６によってユニットケーシング５１内に吸入された室外空気を外部に吹き出すためのファン吹出口５５ａが設けられている。送風機室側前板５５の前面側には、ファン吹出口５５ａを覆うファン吹出グリル５５ｂが設けられている。
【００３８】
機械室側前板５６は、ユニットケーシング５１の機械室Ｓ２の前面部分の一部と、ユニットケーシング５１の機械室Ｓ２の側面部分の一部とを構成する金属製の板状部材である。機械室側前板５６は、その送風機室Ｓ１側の端部が送風機室側前板５５の機械室Ｓ２側の端部に固定され、その背面側の端部が機械室側側板５４の前面側の端部に固定されている。機械室側前板５６の下部には、冷媒連絡管６、７（図１参照）をユニットケーシング５１の機械室Ｓ２内に引き込むための開口部分からなる取入口５６ａが形成されている。ここでは、取入口５６ａは、機械室側前板５６の下部側面に形成されている。尚、取入口５６ａは、機械室側前板５６の下部側面に形成したものに限定されるものではなく、ユニットケーシング５１の機械室Ｓ２の下部（ここでは、電装品ユニット７１よりも下側の部分）に面する部分に形成されていればよい。例えば、機械室側前板５６の下部前面や底フレーム５２の機械室Ｓ２に面する部分、機械室側側板５４の下部に形成されていてもよい。また、取入口５６ａは、電装品の空冷構造も構成しているが、この点については後述する。
【００３９】
天板５７は、ユニットケーシング５１の天面部分を構成する金属製の板状部材である。天板５７は、送風機室側板５３や機械室側側板５４、送風機室側前板５５に固定されている。
【００４０】
仕切板５８は、底フレーム５２上に配置される上下方向に延びる金属製の板状部材である。仕切板５８は、ここでは、ユニットケーシング５１の内部を左右に分割することによって、左側面寄りの送風機室Ｓ１と、右側面寄りの機械室Ｓ２とを形成している。仕切板５８は、その下部が底フレーム５２に固定され、その前面側の端部が送風機室側前板５５に固定され、その背面側の端部が室外熱交換器２３の機械室Ｓ２寄りの側端部まで延びている。仕切板５８は、室外ユニット２の平面視において、送風機室Ｓ１側に突出する部分を形成しながら室外ファン３６の側方から室外熱交換器２３の側端部（ここでは、右側端部）に向かって延びている。また、仕切板５８には、電装品の空冷構造を構成する排出口８１、８２（ルーバ８３、８４）が形成されているが、この点については後述する。
【００４１】
据付脚５９、６０は、ユニットケーシング５１の前後方向に延びる金属製の板状部材である。据付脚５９、６０は、室外ユニット２の据付面に固定される部材である。ここでは、室外ユニット２は、２つの据付脚５９、６０を有しており、１つは、送風機室Ｓ１寄りに配置された送風機室側据付脚５９であり、もう１つは、機械室Ｓ２寄りに配置された機械室側据付脚６０である。
【００４２】
室外ファン３６は、複数の翼を有するプロペラファンであり、送風機室Ｓ１内において、室外熱交換器２３の前面側の位置に、ユニットケーシング５１の前面（ここでは、ファン吹出口５５ａ）に対向するように配置されている。室外ファン用モータ３７は、送風機室Ｓ１内において、室外ファン３６と室外熱交換器２３との前後方向間に配置されている。室外ファン用モータ３７は、底フレーム５２上に載置されたモータ支持台６１によって支持されている。そして、室外ファン３６は、室外ファン用モータ３７に軸支されている。
【００４３】
室外熱交換器２３は、略Ｌ字形状の熱交換器パネルであり、送風機室Ｓ１内において、ユニットケーシング５１の側面（ここでは、左側面）及び背面に対向するように底フレーム５２上に載置されている。
【００４４】
圧縮機２１は、ここでは、縦型円筒形状の密閉式圧縮機であり、機械室Ｓ２内において、底フレーム５２上に載置されている。
【００４５】
電装品ユニット７１は、電装品ユニット７１は、室外ユニット２内の機器の制御等に使用される複数の電装品が設けられたユニットである。電装品ユニット７１は、ここでは、ユニットケーシング５１の前面寄りに位置するように、機械室Ｓ２内に配置されている。電装品ユニット７１は、主として、ユニット本体７２と、基板７３と、複数の電装品（パワー素子７４、ノイズフィルタ７５、コンデンサ７６、リアクタ７７、端子台７８等）とを有している。ユニット本体７２は、ユニットケーシング５１の前面に対向するように配置された板状部材である。ユニット本体７２の前面には、主として、基板７３と端子台７８とが設けられている。基板７３には、パワートランジスタやダイオード等の電力制御や電力変換を行うためのパワー素子７４やノイズフィルタ７５、コンデンサ７６等の電装品が実装されている。そして、パワー素子７４の前面には、後述の冷媒ジャケット２９が取り付けられている。端子台７３は、基板７３の下側に配置されている。また、ユニット本体７２の背面には、リアクタ７７が設けられている。
【００４６】
また、図３及び図４においては具体的な符号の図示を省略するが、四路切換弁２２や膨張弁２６、閉鎖弁２７、２８、冷媒管３１〜３５等（図１参照）も機械室Ｓ２内に配置されている。
【００４７】
＜電装品の冷却構造＞
上記のような基本構造を有する室外ユニット２においては、運転時において、機械室Ｓ２に配置された電装品（ここでは、電装品ユニット７１に設けられた電装品）を冷却する必要がある。このため、室外ユニット２では、このような電装品の冷却構造として、冷媒回路１０（図１参照）を流れる冷媒によって電装品を冷却する冷媒冷却構造と、ユニットケーシング５１外から空気を取り込んで電装品を冷却した後に送風機室Ｓ１側に空気を排出する空冷構造とを設けている。
【００４８】
−電装品の冷媒冷却構造−
室外ユニット２では、電装品の冷媒冷却構造として、冷媒ジャケット２９を設けるようにしている。
【００４９】
冷媒ジャケット２９は、液冷媒管３５（図１参照）を流れる冷媒を流通させるための冷媒流路を有している。冷媒ジャケット２９は、ここでは、電装品ユニット７１の前面側に配置されており、パワー素子７４に取り付けられている。
【００５０】
このような冷媒ジャケット２９からなる電装品の冷媒冷却構造では、冷房運転や暖房運転のような冷媒回路１０の冷凍サイクル運転時において、冷媒ジャケット２９の冷媒流路を流れる冷媒によって、主に、パワー素子７４の冷却を行うことができる。
【００５１】
−電装品の空冷構造−
室外ユニット２では、電装品の空冷構造として、機械室Ｓ２に取入口５６ａ及び排出口８１、８２を形成するようにしている。
【００５２】
取入口５６ａは、ユニットケーシング５１の下部に設けられており、ユニットケーシング５１外から空気を取り入れるための開口部分である。取入口５６ａは、ここでは、上記のように、機械室側前板５６の下部側面に形成されており、機械室側前板５６の下部に形成された冷媒連絡管６、７（図１参照）をユニットケーシング５１の機械室Ｓ２内に引き込むための開口部分も兼ねている。尚、取入口５６ａは、冷媒連絡管６、７を引き込むための開口部分とは別にユニットケーシング５１に設けられた開口部分であってもよい。
【００５３】
排出口８１、８２は、仕切板５８に設けられており、電装品を冷却した後の空気を送風機室Ｓ１側に排出するための開口部分である。排出口８１、８２は、ここでは、上下方向に複数並ぶルーバ８３、８４を仕切板５８に形成することによって構成されている。ここでは、複数（ここでは、７個）の上部ルーバ８３（及び、上部ルーバ８３によって構成される上部排出口８１）からなる組を、複数のルーバ８３、８４のうち最も上方に位置するように形成している。また、複数（ここでは、９個）の下部ルーバ８４（及び、下部ルーバ８４によって構成される下部排出口８２）からなる組を、上部ルーバ８３よりも下方に上下方向に３組並ぶように形成している。尚、ルーバ８３、８４の個数は、上記の個数に限定されるものではなく、また、ルーバ８３、８４を複数個の組に分けて配置せずに連続的に配置してもよい。
【００５４】
そして、排出口８１、８２（すなわち、ルーバ８３、８４）は、ユニットケーシング５１の平面視において、室外ファン３６の側端部（ここでは、右側端部）のうちの最もユニットケーシング５１の背面側に位置する点から仕切板５８の送風機室Ｓ１側に突出する部分に対して接線ＴＬを引き、接線ＴＬと仕切板５８との接触位置ＣＰよりも左右方向の外側（すなわち、室外ファン３６から遠い側）に位置するように形成されている。ここで、室外ファン３６の側端部のうちの最もユニットケーシング５１の背面側に位置する点とは、室外ユニット２の平面視において、室外ファン３６の羽根部分の最外周側でかつ最背面側の端部を意味する。また、室外ユニット２の平面視において、仕切板５８のうち接線ＴＬとの接触位置ＣＰから左右方向の外側部分をルーバ形成部５８ａとする。
【００５５】
しかも、複数のルーバ８３、８４のうち上方に位置する上部ルーバ８３を上部ルーバ８３よりも下方に位置する下部ルーバ８４の大きさよりも大きくしている。ここで、ルーバ８３、８４は、仕切板５８のルーバ形成部５８ａを切り起こすことによって形成されている。ここでは、ルーバ８３、８４は、上下幅よりも横幅が大きい形状を有しており、これにより、排出口８１、８２は、横長の長孔形状を有している。そして、上部ルーバ８３の横幅Ｗｕを下部ルーバ８４の横幅Ｗｌよりも大きくすることで、上部ルーバ８３を下部ルーバ８４の大きさよりも大きくしている。特に、ここでは、上部ルーバ８３の大きさを、下部ルーバ８４の２倍以上の大きさにしている。すなわち、上部ルーバ８３の横幅Ｗｕを下部ルーバ８４の横幅Ｗｌの２倍以上の大きさにしている。
【００５６】
また、ここでは、ルーバ８３、８４は、仕切板５８を機械室Ｓ２側に向けて切り起こすようにしている。
【００５７】
また、ここでは、排出口８１、８２の機械室Ｓ２側の開口部分８１ａ、８２ａの開口方向が、電装品（ここでは、電装品ユニット７１）に対向していない。具体的には、ここでは、ルーバ８３、８４が仕切板５８の面に対して斜め下方を向くように切り起こすことによって、排出口８１、８２の機械室Ｓ２側の開口部分８１ａ、８２ａの開口方向が下方を向くようにして、これにより、開口部分８１ａ、８２ａの開口方向が電装品（ここでは、電装品ユニット７１）に対向しないようにしている。尚、ルーバ８３、８４の切り起こし方向は、仕切板５８の面に対して斜め下方に限られるものではなく、斜め上方を向くように切り起こすことによって、開口部分８１ａ、８２ａの開口方向が電装品（ここでは、電装品ユニット７１）に対向しないようにしてもよい。
【００５８】
また、ここでは、上部ルーバ８３（及び、排出口８１）がリアクタ７７よりも上方に位置するように形成されている。また、ルーバ８３、８４（ここでは、上部ルーバ８３の一部）は、ユニットケーシング５１の前面に対向するように配置された電装品ユニット７１の上端よりも上方に位置するように配置されている。
【００５９】
（３）電装品の空冷構造の特徴
本実施形態の室外ユニット２に採用されている電装品の空冷構造には、以下のような特徴がある。
【００６０】
＜Ａ＞
上記の機械室Ｓ２に形成された取入口５６ａ及び排出口８１、８２（ルーバ８３、８４）からなる電装品の空冷構造によれば、機械室Ｓ２内において、以下のような空気の流れが形成されることになる。具体的には、冷房運転や暖房運転において、室外ファン３６が駆動すると、送風機室Ｓ１において、背面側から前面側に向かって空気の流れが形成される。ここで、送風機室Ｓ１の室外ファン３６の空気の流れの上流側（すなわち、背面側）の空間が負圧になる。このため、機械室Ｓ２においては、取入口５６ａから機械室Ｓ２内を通じて排出口８１、８２に至る空気の流れが形成される。これにより、取入口５６ａを通じてユニットケーシング５１外から機械室Ｓ２内に空気を取り入れて、この取り入れた空気によって、電装品（ここでは、電装品ユニット７１に設けられた電装品）を冷却し、電装品を冷却した後の空気を排出口８１、８２を通じて送風機室Ｓ１側に排出することができる。
【００６１】
ところで、雨を伴う強風によって停止中の室外ファン３６が回転すると、ユニットケーシング５１外から送風機室Ｓ１内に空気とともに水滴が侵入する。この水滴は、主として、室外ファン３６の径方向外側に向かって飛散するため、排出口８１、８２を通じて機械室Ｓ２内に侵入しやすく、このような水滴の機械室Ｓ２内への侵入によって、電装品（ここでは、電装品ユニット７１に水滴が付着するおそれがある。
【００６２】
そこで、ここでは、上記のように、排出口８１、８２を接線ＴＬと仕切板５８との接触位置ＣＰよりも左右方向の外側、すなわち、室外ファン３６から遠い側に位置するように形成しているため、接線ＴＬと仕切板５８との接触位置ＣＰよりも内側、すなわち、室外ファン３６に近い側に位置するように形成する場合と比較して、室外ファン３６の回転によって飛散する水滴が直接的に排出口８１、８２に侵入することを抑えることができる。
【００６３】
また、室外ファン３６の回転によって飛散する水滴が室外熱交換器２３に跳ね返ること等によって排出口８１、８２に侵入しようとする場合であっても、ルーバ８３、８４に水滴が付着することによって、水滴が機械室Ｓ２内に侵入することを抑えることができる。
【００６４】
しかも、ここでは、上記のように、複数のルーバ８３、８４のうち上方に位置する上部ルーバ８３を上部ルーバ８３よりも下方に位置する下部ルーバ８４の大きさよりも大きくしているため、上部ルーバ８３から下部ルーバ８４にわたって同じ大きさにする場合に比較して、電装品（ここでは、電装品ユニット７１）周辺の気流を十分に確保するとともに、機械室Ｓ２上部の熱こもりを抑えることができる。尚、これらの効果を十分に発揮させるためには、上部ルーバ８３の大きさを下部ルーバ８４の２倍以上の大きさにすることが好ましい。
【００６５】
このように、ここでは、電装品を空冷するとともに電装品に水滴が付着することを抑えることができる。しかも、電装品周辺の気流を十分に確保するとともに、機械室Ｓ２上部の熱こもりを抑えることができる。
【００６６】
特に、ここでは、電装品ユニット７１の背面側に発熱量の大きいリアクタ７７が設けられており、リアクタ７７周辺の気流の十分な確保、及び、機械室Ｓ２上部の熱こもりの抑制に対する要求が大きくなっているが、上部ルーバ８３の大きさを下部ルーバ８４よりも大きくすること（好ましくは２倍以上の大きさにすること）によって、このような要求に応えることができるようになっている。
【００６７】
＜Ｂ＞
ここでは、上記のように、仕切板５８を機械室Ｓ２側に向けて切り起こすことによってルーバ８３、８４を形成しているため、室外ユニット２の組み立て時において、ルーバ８３、８４と室外熱交換器２３との接触を抑えることができる。
【００６８】
＜Ｃ＞
ここでは、上記のように、排出口８１、８２の機械室Ｓ２側の開口部分８１ａ、８２ａの開口方向を電装品（ここでは、電装品ユニット７１）に対向しないようにしているため、水滴が機械室Ｓ２内に侵入した場合であっても、水滴を電装品に向かって飛散しないようにし、これにより、水滴が電装品に付着することを抑えることができる。
【００６９】
＜Ｄ＞
ここでは、上記のように、上部ルーバ８３がリアクタ７７よりも上方に配置されているため、リアクタ７７周辺の気流の確保、及び、機械室Ｓ２上部の熱こもりの解消に寄与することができる。また、ルーバ８３、８４（ここでは、上部ルーバ８３の一部）が、ユニットケーシング５１の前面に対向するように配置された電装品ユニット７１の上端よりも上方に位置するように配置されているため、電装品ユニット７１の前面側の気流のスムーズな排出にも寄与することができる。
【００７０】
（４）他の実施形態
＜Ａ＞
上記実施形態においては、電装品の冷却構造として、取入口５６ａ及び排出口８１、８２による空冷構造とともに、冷媒ジャケット２９による冷媒冷却構造を併用しているが、これに限定されるものではない。例えば、冷媒冷却構造を併用せずに、空冷構造だけにしてもよい。この場合には、パワー素子７４についても、取入口５６ａ及び排出口８１、８２による空冷が行われることになる。
【００７１】
＜Ｂ＞
上記実施形態においては、上部ルーバ８３の横幅Ｗｕを下部ルーバ８４の横幅Ｗｌよりも大きくすることで、上部ルーバ８３を下部ルーバ８４の大きさよりも大きくしているが、これに限定されるものではなく、上部ルーバ８３の上下幅を下部ルーバ８４の上下幅よりも大きくすることで、上部ルーバ８３を下部ルーバ８４の大きさよりも大きくしてもよい。
【産業上の利用可能性】
【００７２】
本発明は、ケーシングの内部が上下方向に延びる仕切板によって送風機室と機械室とに仕切られた構造を有する空気調和装置の室外ユニットに対して、広く適用可能である。
【符号の説明】
【００７３】
２              室外ユニット
５１            ユニットケーシング
５８            仕切板
Ｓ１            送風機室
Ｓ２            機械室
３６            室外ファン
２３            室外熱交換器
７１            電装品ユニット
５６ａ          取入口
８１、８２      排出口
８３            上部ルーバ
８４            下部ルーバ
ＴＬ            接線
ＣＰ            接触位置
８１ａ、８２ａ  開口部分
【先行技術文献】
【特許文献】
【００７４】
【特許文献１】特開２００２−３１７９７３号公報
【図１】
2014240713.tif 000003
【図２】
2014240713.tif 000004
【図３】
2014240713.tif 000005
【図４】
2014240713.tif 000006
【図５】
2014240713.tif 000007
【図６】
2014240713.tif 000008